(57)【要約】【課題】生産性が高く信頼性の高い液晶表示装置を提供する。【解決手段】実施形態によれば、表示領域と周辺領域とを有し、第１、第２基板部、液晶層、シール部を備えた液晶表示装置が提供される。第１基板部は、第１基板、第１、第２配線、下側絶縁層、有機絶縁層、表示電極を含む。第１基板は、第１主面を有す。第１配線は、周辺領域の第１主面上に設けられ、第２配線は、周辺領域の第１主面上に設けられ第１配線の外側である。下側絶縁層は、周辺領域の第１主面上に設けられ第１、第２配線の間の配線間部分を有す。有機絶縁層は、表示領域及び周辺領域の第１主面上に設けられ、外縁が配線間部分上である。表示電極は、表示領域で有機絶縁層上に設けられる。液晶層は、表示電極と第２基板部との間に設けられる。シール部は、周辺領域において液晶層を囲み有機絶縁層の外縁を覆う。【選択図】図１
2013029566.tif 000002
【特許請求の範囲】
【請求項１】
表示領域と、前記表示領域よりも外側の周辺領域と、を有する液晶表示装置であって、
第１主面を有する第１基板と、
前記周辺領域において前記第１主面上に設けられた第１配線と、
前記周辺領域において前記第１主面上に設けられ前記第１配線と離間し前記第１配線よりも外側の第２配線と、
前記周辺領域において前記第１主面上に設けられ前記第１配線と前記第２配線との間の配線間部分を有する下側絶縁層と、
前記表示領域及び前記周辺領域において前記第１主面上に設けられ、外縁が前記配線間部分の上に位置する有機絶縁層と、
前記表示領域において、前記有機絶縁層の上に設けられた表示電極と、
を含む第１基板部と、
前記第１主面に対向する第２主面を有する第２基板を含む第２基板部と、
前記表示領域において前記表示電極と前記第２主面との間に設けられた液晶層と、
前記周辺領域において前記第１主面と前記第２主面との間において前記液晶層を囲み、前記有機絶縁層の前記外縁を覆うシール部と、
を備えたことを特徴とする液晶表示装置。
【請求項２】
前記第１基板部は、前記第１主面上に設けられ前記第１配線と前記第２配線とに接続され前記第１配線の電位を前記第２配線の電位と同じにする導電性の接続部をさらに含むことを特徴とする請求項１記載の液晶表示装置。
【請求項３】
前記第１配線の少なくとも一部は、前記有機絶縁層に接し、
前記第１配線の前記少なくとも一部の前記有機絶縁層に接する部分は、金属であることを特徴とする請求項１または２に記載の液晶表示装置。
【請求項４】
前記第２配線の表面は、金属であることを特徴とする請求項１〜３のいずれか１つに記載の液晶表示装置。
【請求項５】
前記シール部は、前記有機絶縁層と、前記配線間部分と、前記第２配線と、に接することを特徴とする請求項１〜４のいずれか１つに記載の液晶表示装置。
【発明の詳細な説明】
【技術分野】
【０００１】
本発明の実施形態は、液晶表示装置に関する。
【背景技術】
【０００２】
例えば、２枚の基板の間に液晶層を挟んだ液晶表示素子において、生産性の向上及び信頼性の向上が望まれている。特に、液晶層の周りの周辺領域の幅を狭くした液晶表示装置においては、信頼性が低下し易い。また、表示性能の向上のために基板上には種々の層が設けられている。周辺領域における種々の層の構成に関して、検討が行われているが、不良の発生を抑制し高い信頼性を得るためには十分ではない。
【先行技術文献】
【特許文献】
【０００３】
【特許文献１】特開２０１０−２６６７１１号公報
【発明の概要】
【発明が解決しようとする課題】
【０００４】
本発明の実施形態は、生産性が高く信頼性の高い液晶表示装置を提供する。
【課題を解決するための手段】
【０００５】
本発明の実施形態によれば、表示領域と、前記表示領域よりも外側の周辺領域と、を有する液晶表示装置が提供される。前記液晶表示装置は、第１基板部と、第２基板部と、液晶層と、シール部と、を備える。前記第１基板部は、第１基板と、第１配線と、第２配線と、下側絶縁層と、有機絶縁層と、表示電極と、を含む。前記第１基板は、第１主面を有する。前記第１配線は、前記周辺領域において前記第１主面上に設けられる。前記第２配線は、前記周辺領域において前記第１主面上に設けられ前記第１配線と離間し前記第１配線よりも外側である。前記下側絶縁層は、前記周辺領域において前記第１主面上に設けられ前記第１配線と前記第２配線との間の配線間部分を有する。前記有機絶縁層は、前記表示領域及び前記周辺領域において前記第１主面上に設けられ、外縁が前記配線間部分の上に位置する。前記表示電極は、前記表示領域において、前記有機絶縁層の上に設けられる。前記第２基板部は、前記第１主面に対向する第２主面を有する第２基板を含む。前記液晶層は、前記表示領域において前記表示電極と前記第２主面との間に設けられる。前記シール部は、前記周辺領域において前記第１主面と前記第２主面との間において前記液晶層を囲み、前記有機絶縁層の前記外縁を覆う。
【図面の簡単な説明】
【０００６】
【図１】図１（ａ）及び図１（ｂ）は、第１の実施形態に係る液晶表示装置の構成を例示する模式図である。
【図２】図２（ａ）及び図２（ｂ）は、第１の実施形態に係る液晶表示装置の構成を例示する模式図である。
【図３】図３（ａ）及び図３（ｂ）は、第１の実施形態に係る別の液晶表示装置の構成を例示する模式的平面図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）及び図１（ｂ）は、第１の実施形態に係る液晶表示装置の構成を例示する模式図である。  
図２（ａ）及び図２（ｂ）は、第１の実施形態に係る液晶表示装置の構成を例示する模式図である。  
図２（ａ）は、模式的平面図である。図２（ｂ）は、図２（ａ）のＡ１−Ａ２線断面図である。図１（ａ）は、図２（ａ）の第１部分Ｐａを拡大した図であり、Ａ１−Ａ３線断面図である。図１（ｂ）は、図２（ａ）の第１部分Ｐａを拡大して示した模式的平面図である。
【０００９】
図２（ａ）及び図２（ｂ）に表したように、本実施形態に係る液晶表示装置１１０は、表示領域３０ｄと、周辺領域３０ｐと、を有する。周辺領域３０ｐは、表示領域３０ｄよりも外側の部分である。表示領域３０ｄは、表示を行う部分である。
【００１０】
液晶表示装置１１０は、第１基板部１０と、第２基板部２０と、液晶層３０と、シール部４０と、を備える。
【００１１】
図２（ｂ）に表したように、第１基板部１０は、第１主面１０ａを有する第１基板１１を含む。  
第２基板部２０は、第２主面２０ａを有する第２基板２１を含む。第２主面２０ａは、第１主面１０ａに対向する面である。
【００１２】
液晶層３０は、表示領域３０ｄにおいて、第１主面１０ａと第２主面２０ａとの間に設けられる。シール部４０は、周辺領域３０ｐにおいて、第１主面１０ａと第２主面２０ａとの間において液晶層３０を囲む。
【００１３】
ここで、第１基板部１０から第２基板部２０に向かう方向に沿う軸をＺ軸（例えば第１軸）とする。Ｚ軸に対して垂直な１つの軸をＸ軸（例えば第２軸）とする。Ｚ軸とＸ軸とに対して垂直な軸をＹ軸（例えば第３軸）とする。
【００１４】
液晶表示装置１１０をＺ軸に沿ってみたときの平面形状は、例えば、長方形である。ただし、実施形態において液晶表示装置１１０の形状は任意である。以下では、液晶表示装置１１０の形状（平面形状）が長方形である場合として説明する。
【００１５】
液晶表示装置１１０をＺ軸に沿ってみたときの平面形状の長方形の１つの辺は、例えば、Ｘ軸に対して平行である。その辺に接続する別の辺は、例えば、Ｙ軸に対して平行である。
【００１６】
図２（ａ）に表したように、第１基板部１０は、第１基板１１の第１主面１０ａ上に設けられた走査線Ｌｎ１、信号線Ｌｎ２、スイッチング素子１６及び表示電極１２をさらに含むことができる。走査線Ｌｎ１は、例えば、Ｘ軸に沿って延びる。走査線Ｌｎ１は、複数設けることができる。複数の走査線Ｌｎ１のそれぞれは、Ｘ軸に沿って延びる。信号線Ｌｎ２は、例えば、Ｙ軸に沿って延びる。信号線Ｌｎ２は、複数設けることができる。複数の信号線Ｌｎ２は、例えば、Ｙ軸に沿って延びる。走査線Ｌｎ１と信号線Ｌｎ２とが交差する部分にスイッチング素子１６が設けられる。スイッチング素子１６は複数設けられ、複数のスイッチング素子１６のそれぞれは、複数の走査線Ｌｎ１と複数の信号線Ｌｎ２とが交差するそれぞれの部分に配置される。なお、Ｘ軸に沿って延びる補助容量線（図示しない）をさらに設けても良い。
【００１７】
スイッチング素子１６には、例えばトランジスタが用いられる。トランジスタには、例えば薄膜トランジスタが用いられる。スイッチング素子１６のゲートは、例えば、走査線Ｌｎ１に接続される。スイッチング素子１６のソースは、例えば、信号線Ｌｎ２に接続される。スイッチング素子１６のドレインは、例えば、表示電極１２に接続される。液晶表示装置１１０は、アクティブマトリクス型の表示装置である。１つの表示電極１２は、１つの画素に対応する。
【００１８】
第１主面１０ａには、走査線Ｌｎ１及び信号線Ｌｎ２に入力される信号を出力する回路部（図示しない）がさらに設けられても良い。回路部は、例えば、周辺領域３０ｐに設けられる。
【００１９】
スイッチング素子１６及び回路部には、例えばアモルファスシリコンまたはポリシリコンなどが用いられる。
【００２０】
表示領域３０ｄは、（複数の）表示電極１２が設けられる領域である。周辺領域３０ｐは、少なくともシール部４０が設けられる領域である。ここでは、表示領域３０ｄと周辺領域３０ｐとの境界は、表示電極１２が設けられている領域の外縁であるものとする。すなわち、周辺領域３０ｐの内縁は、表示電極１２が設けられる領域の外縁に接する。周辺領域３０ｐの外縁は、例えば、第１基板１１の端部、及び、第２基板２１の端部である。
【００２１】
図１（ａ）に表したように、第１基板部１０は、第１基板１１と、第１配線１３ａと、第２配線１３ｂと、下側絶縁層１４と、有機絶縁層１５と、表示電極１２と、を含む。
【００２２】
第１配線１３ａは、周辺領域３０ｐにおいて、第１主面１０ａ上に設けられる。第２配線１３ｂは、周辺領域３０ｐにおいて、第１主面１０ａ上に設けられる。第２配線１３ｂは、第１配線１３ａと離間している。第２配線１３ｂは、第１主面１０ａにおいて、第１配線１３ａよりも外側に設けられている。
【００２３】
第１配線１３ａ及び第２配線１３ｂには、例えば、金属材料が用いられる。第１配線１３ａ及び第２配線１３ｂには、例えば、信号線Ｌｎ２及び走査線Ｌｎ１の少なくともいずれかの少なくとも一部となる材料を用いることができる。第１配線１３ａ及び第２配線１３ｂには、例えば、アルミニウムを用いることができる。第１配線１３ａに用いられる材料は、第２配線１３ｂに用いられる材料と同じであることが好ましい。
【００２４】
第１配線１３ａ及び第２配線１３ｂには、例えば、走査線Ｌｎ１及び信号線Ｌｎ２に入力される信号が入力される。第１配線１３ａ及び第２配線１３ｂには、走査線Ｌｎ１及び信号線Ｌｎ２に信号を供給する回路部に入力される電流が流れる。
【００２５】
下側絶縁層１４は、周辺領域３０ｐにおいて、第１主面１０ａ上に設けられる。下側絶縁層１４は、第１主面１０ａに平行な平面内において、第１配線１３ａと第２配線１３ｂとの間の配線間部分１４ｉを有する。
【００２６】
本具体例のように、下側絶縁層１４は、表示領域３０ｄ及び周辺領域３０ｐにおいて第１主面１０ａ上に設けられても良い。例えば、下側絶縁層１４の上に、第１配線１３ａ及び第２配線１３ｂが設けられる。さらに、下側絶縁層１４の上に、有機絶縁層１５及び表示電極１２が設けられる。
【００２７】
なお、本願明細書において、「上に設けられる」は、直接接して設けられる場合の他に、間に別の要素が挿入されて設けられる場合を含む。
【００２８】
下側絶縁層１４には、例えば、無機材料が用いられる。下側絶縁層１４には、例えば、酸化シリコン、窒化シリコン、または、酸窒化シリコンなどが用いられる。
【００２９】
有機絶縁層１５は、表示領域３０ｄ及び周辺領域３０ｐにおいて第１主面１０ａ上に設けられる。本具体例では、有機絶縁層１５は、下側絶縁層１４の上に設けられている。有機絶縁層１５の外縁１５ｏは、配線間部分１４ｉの上に位置する。
【００３０】
表示電極１２は、表示領域３０ｄにおいて、有機絶縁層１５の上に設けられる。
【００３１】
この例では、下側絶縁層１４の上に、スイッチング素子１６が設けられ、スイッチング素子１６は、有機絶縁層１５に覆われている。有機絶縁層１５には開口部が設けられ、スイッチング素子１６のソース及びドレインの他方が、この開口部を介して、表示電極１２と接続される。
【００３２】
一方、第２基板部２０の第２基板２１の第２主面２０ａ上には、例えば、遮光層２３、着色層２４、オーバーコート層２５及び対向電極２２が設けられる。着色層２４は、表示電極１２に対向する。複数の着色層２４のそれぞれは、例えば、青色、緑色または赤色である。遮光層２３は、表示電極１２どうしの間の部分を遮光する。オーバーコート層２５は、遮光層２３及び着色層２４の上に設けられる。対向電極２２は、オーバーコート層２５の上に設けられる。
【００３３】
表示電極１２及び対向電極２２のそれぞれの上には、例えば配向膜（図示しない）が設けられる。配向膜は、液晶層３０の初期配列を制御する。
【００３４】
液晶層３０は、表示領域３０ｄにおいて、表示電極１２と、第２主面２０ａ（本具体例では対向電極２２）と、の間に設けられている。
【００３５】
例えば、スイッチング素子１６を介して、対向電極２２と表示電極１２との間に電圧を印加することで液晶層３０の液晶の配列を制御し、液晶層３０の光学特性を変化させ、表示が行われる。
【００３６】
なお、対向電極２２は、第１基板部１０に設けられても良い。この場合には、Ｘ−Ｙ平面内の成分を有する電界が液晶層３０に印加され、液晶層３０の光学特性が変化する。
【００３７】
有機絶縁層１５には、例えば、アクリル樹脂やポリイミド樹脂などの有機材料が用いられる。有機絶縁層１５でスイッチング素子１６を覆い、有機絶縁層１５の上に表示電極１２を設けることで、表示領域３０ｄ内の表示に寄与する面積が拡大する。すなわち、各画素の開口率が拡大し、良好な表示特性が得られる。
【００３８】
図１（ａ）及び図１（ｂ）に表したように、第１配線１３ａ及び第２配線１３ｂは、互いに離間しつつ、例えば、周辺領域３０ｐの外縁（例えば第１基板１１の端部及び第２基板２１の端部）に沿って延在している。第１配線１３ａ及び第２配線１３ｂとの間に、下側絶縁層１４の配線間部分１４ｉが配置されている。そして、有機絶縁層１５の外縁１５ｏは、配線間部分１４ｉの上に位置している。そして、シール部４０は、有機絶縁層１５の外縁１５ｏを覆っている。  
これにより、信頼性の高い液晶表示装置が提供できる。
【００３９】
発明者の知見によると、シール部４０と下側絶縁層１４との密着力は比較的高いが、シール部４０と有機絶縁層１５と密着力は比較的低い。このため、シール部４０の全体を有機絶縁層１５の上に設ける構成を採用すると、シール部４０の密閉性が低下し、例えば、外部から表示領域３０ｄ内に水（導電性物質を含む）などが侵入し、表示むらなどの不良が発生し易い。特に、周辺領域３０ｐの幅を狭くし、シール部４０の幅が狭い場合に、不良が発生し易くなる。
【００４０】
一方、製造工程のばらつきなどを考慮しつつ、周辺領域３０ｐを狭くするためには、シール部４０の一部が、有機絶縁層１５と接する構成が採用される。
【００４１】
すなわち、高い信頼性と、高い歩留まり（高い生産性）と、を得るためには、シール部４０の内側部分が、有機絶縁層１５の上に配置され、シール部４０の外側部分が、有機絶縁層１５以外の層と接する構成が採用される。
【００４２】
一方、狭い周辺領域３０ｐの実現のために、周辺領域３０ｐに設けられる配線のための金属層は、シール部４０の下に配設される。
【００４３】
発明者の知見によると、無機材料（例えば、酸化シリコン、窒化シリコン、または、酸窒化シリコンなど）が用いられる下側絶縁層１４と、シール部４０と、の密着力は比較的高い。
【００４４】
このため、シール部４０における高い密着力を得るためには、シール部４０の外側部分は下側絶縁層１４に接し、シール部４０の内側部分は有機絶縁層１５に接することになる。そして、シール部４０が設けられる領域内に、配線となる金属層が配設される。
【００４５】
このとき、例えば、有機絶縁層１５の外縁１５ｏが金属層の上に配置される。しかしながら、有機絶縁層１５の外縁１５ｏを配線の金属層の上に配置すると、不良が発生し易いことが分かった。
【００４６】
すなわち、有機絶縁層１５の外縁１５ｏを金属層の上に配置すると、有機絶縁層１５の端（外縁１５ｏ）から有機絶縁層１５が剥離し、不良が発生し易い。剥離は、例えば、第１基板部１０の製造中、及び、第１基板部１０と第２基板部２０とを組み合わせて液晶表示装置１１０を製造する工程中において発生する。また、この剥離に起因して表示むらが発生し、信頼性を低下させることもある。発明者の知見によると、有機絶縁層１５と、配線に用いられる金属層と、の密着力は比較的低いことが分かった。このことが上記の不良の原因となっていることが判明した。
【００４７】
一方、有機絶縁層１５と下側絶縁層１４との密着力は高いことが分かった。従って、有機絶縁層１５の外縁１５ｏを下側絶縁層１４の上に配置することで、有機絶縁層１５の端からの剥離が抑制できると考えられる。これによると、例えば、有機絶縁層１５の外縁１５ｏは、配線となる金属層よりも外側、または、内側に配置する構成が考えられる。
【００４８】
一方、大きな電流を流すことが必要な金属層の幅は、一定以上にすることが必要である。広い幅の金属層以外の領域に、有機絶縁層１５の外縁１５ｏ（端）を配置すると、結果として、シール部４０の幅が広がり、周辺領域３０ｐの幅も広がってしまう。
【００４９】
このように、有機絶縁層１５と金属層との密着力は低く有機絶縁層１５の外縁１５ｏを金属層の上に配置すると剥離が生じ易いという知見と、シール部４０と有機絶縁層１５との密着力が低いという知見と、シール部４０と下側絶縁層１４との密着力が強いという知見と、有機絶縁層１５と下側絶縁層１４との密着力が強いという知見と、に基づいて、本実施形態の構成が構築された。
【００５０】
すなわち、本実施形態に係る液晶表示装置１１０においては、配線（金属層）を２つに分け、第１配線１３ａと第２配線１３ｂとを用いる。そして、これらの間に、下側絶縁層１４の配線間部分１４ｉを設ける。そして、有機絶縁層１５の外縁１５ｏを、第１配線１３ａと第２配線１３ｂとの間の、下側絶縁層１４の配線間部分１４ｉの上に配置する。
【００５１】
これにより、有機絶縁層１５の外縁１５ｏは、密着力が高い下側絶縁層１４の配線間部分１４ｉに接するので、有機絶縁層１５の剥離が抑制できる。
【００５２】
そして、有機絶縁層１５の外縁１５ｏは、シール部４０に覆われている。これにより、シール部４０の外側部分が、下側絶縁層１４、第２配線１３ｂ、及び、下側絶縁層１４の配線間部分１４ｉに接する。そして、シール部４０の内側部分が、有機絶縁層１５の上に配置される。これにより、信頼性の確保と、高い生産性と、を得ることができる。
【００５３】
このように、本実施形態によれば、生産性が高く信頼性の高い液晶表示装置が得られる。
【００５４】
液晶表示装置１１０においては、シール部４０は、有機絶縁層１５と、配線間部分１４ｉと、第２配線１３ｂと、に接する。さらに、シール部４０は、下側絶縁層１４の第２配線１３ｂよりも外側の部分に接することができる。これにより、さらに、安定した密着性が得られる。
【００５５】
例えば、図１（ａ）及び図１（ｂ）に表したように、シール部４０の外縁４０ｏは、有機絶縁層１５の外縁１５ｏよりも外側である。シール部４０の内縁４０ｉは、有機絶縁層１５の外縁１５ｏよりも内側である。シール部４０の外縁４０ｏは、第２配線１３ｂの外縁１３ｂｏよりも外側である。シール部４０の内縁４０ｉは、第１配線１３ａの内縁１３ａｉよも内側である。
【００５６】
本実施形態において、例えば、第１配線１３ａの電位は、第２配線１３ｂの電位と同じである。ただし、実施形態はこれに限らず、第１配線１３ａの電位は、第２配線１３ｂの電位とは別でも良い。第１配線１３ａと、それの電位とは異なる第２配線１３ｂとの間に、有機絶縁層１５の外縁１５ｏが配置され、有機絶縁層１５の剥離が抑制できれば良い。
【００５７】
また、実施形態において、下側絶縁層１４は、第１配線１３ａと第１基板１１との間の部分、及び、第２配線１３ｂと第１基板１１との間の部分を有していなくても良い。すなわち、下側絶縁層１４は、第１配線１３ａと第２配線１３ｂとの間の部分に配置される配線間部分１４ｉを有していれば良い。すなわち、下側絶縁層１４は、有機絶縁層１５の外縁１５ｏの下に配置される配線間部分１４ｉを有していれば良い。
【００５８】
実施形態において、第２配線１３ｂには、金属が用いられる。少なくとも、第２配線１３ｂの表面は、例えば、金属である。また、第１配線１３ａには、金属が用いられる。少なくとも、第１配線１３ａの表面は金属である。すなわち、第１配線１３ａの少なくとも一部は、有機絶縁層１５に接し、第１配線１３ａのその少なくとも一部の有機絶縁層１５に接する部分は、金属である。
【００５９】
なお、図１（ｂ）に表したように、第１配線１３ａは、第１幅ｗ１を有する、第２配線１３ｂは、第２幅ｗ２を有する。第１配線１３ａと第２配線１３ｂとの間の間隔は、例えば第３幅ｗ３である。第１幅ｗ１及び第２幅ｗ２は、例えば、５マイクロメートル（μｍ）以上５００μｍ以下である。第１幅ｗ１は、第２幅ｗ２と同じでも良く、異なっていても良い。第３幅ｗ３は、例えば、５μｍ以上２００μｍ以下である。ただし、実施形態において、第１幅ｗ１、第２幅ｗ２及び第３幅ｗ３は、任意である。
【００６０】
第１配線１３ａ及び第２配線１３ｂは、液晶表示装置１１０の周辺領域３０ｐの全周に渡って連続的に設けられていなくても良い。第１配線１３ａ及び第２配線１３ｂは、例えば、周辺領域３０ｐの外縁の少なくとも１つの辺の少なくとも一部に沿うことができる。
【００６１】
第１配線１３ａの電位を、第２配線１３ｂの電位と同じにするために、任意の接続部を設けることができる。この接続部（図１（ａ）、図１（ｂ）、図２（ａ）及び図２（ｂ）では図示しない）は、例えば、周辺領域３０ｐの任意の場所に設けることができる。
【００６２】
また、外部から第１配線１３ａに供給される信号（または電位）が、外部から第２配線１３ｂに供給される信号（または電位）と同じでも良く、または異なっていても良い。
【００６３】
図３（ａ）及び図３（ｂ）は、第１の実施形態に係る別の液晶表示装置の構成を例示する模式的平面図である。  
これらの図は、実施形態に係る別の液晶表示装置１１１の一部の構成を例示している。図２（ａ）及び図２（ｂ）は、液晶表示装置１１１の構成の概要も示している。図３（ａ）は、図２（ａ）の第１部分Ｐａを拡大した平面図に相当する。図３（ｂ）は、図２（ａ）の第２部分Ｐｂ（コーナー部）を拡大して示した平面図に相当する。以下では、液晶表示装置１１１について、液晶表示装置１１０とは異なる部分について説明する。
【００６４】
図３（ａ）及び図３（ｂ）に表したように、液晶表示装置１１１においては、第１基板部１０は、導電性の接続部１３ｃをさらに有する。接続部１３ｃは、第１主面１０ａ上に設けられる。接続部１３ｃは、第１配線１３ａと第２配線１３ｂとに接続される。接続部１３ｃは、第１配線１３ａの電位を第２配線１３ｂの電位と同じにする。
【００６５】
接続部１３ｃには、例えば、第１配線１３ａ及び第２配線１３ｂに用いる材料が用いられる。接続部１３ｃは、第１配線１３ａと同層であり、第２配線１３ｂと同層とすることができる。
【００６６】
接続部１３ｃは、１つでも良く、複数でも良い。接続部１３ｃは、第１配線１３ａの延在方向に対して交差する方向に沿って延びる。例えば、接続部１３ｃは、第１配線１３ａの延在方向に対して直交する方向に沿って延びる。
【００６７】
接続部１３ｃの幅Ｌ３（第１配線１３ａの延在方向に沿った接続部１３ｃの長さ）は、例えば、５μｍ以上５０μｍ以下である。接続部１３ｃの幅Ｌ３は、できるだけ細いことが望ましい。
【００６８】
接続部１３ｃが複数設けられる場合、複数の接続部１３ｃどうしの間の距離Ｄ３は、幅Ｌ３よりも長いことが好ましい。これにより、有機絶縁層１５の外縁１５ｏが配線間部分１４ｉに接する長さ（距離Ｄ３と等しい）が、有機絶縁層１５の外縁１５ｏが、接続部１３ｃに接する長さ（幅Ｌ３と等しい）よりも長くなる。これにより、有機絶縁層１５の剥離の抑制が維持できる。
【００６９】
図３（ｂ）に表したように、第１基板１１は、Ｘ軸方向に沿う辺と、Ｙ軸方向に沿う辺と、を有している。周辺領域３０ｐの外縁は、例えば、第１基板１１のＸ軸方向に沿う辺及びＹ軸方向に沿う辺に沿う。シール部４０の外縁４０ｏは、第１基板１１のＸ軸方向に沿う辺及びＹ軸方向に沿う辺に沿う部分を有している。Ｘ軸方向に沿う辺と、Ｙ軸方向に沿う辺と、が接続するコーナー部分において、シール部４０の外縁４０ｏ（及び内縁４０ｉ）は、Ｘ軸及びＹ軸に対して傾斜していても良い。
【００７０】
同様に、第１配線１３ａ及び第２配線１３ｂも、第１基板１１のＸ軸方向に沿う辺及びＹ軸方向に沿う辺に沿う部分を有している。Ｘ軸方向に沿う辺と、Ｙ軸方向に沿う辺と、が接続するコーナー部分において、第１配線１３ａの内縁１３ａｉ及び第２配線１３ｂの外縁１３ｂｏは、Ｘ軸及びＹ軸に対して傾斜していても良い。
【００７１】
実施形態によれば、生産性が高く信頼性の高い液晶表示装置が提供される。
【００７２】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【００７３】
以上、具体例を参照しつつ、本発明の実施の形態について説明した。しかし、本発明の実施形態は、これらの具体例に限定されるものではない。例えば、表示装置に含まれる第１基板部、第２基板部、第１基板、第２基板、第１配線、第２配線、下側絶縁層、有機絶縁層、液晶層及びシール部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００７４】
その他、本発明の実施の形態として上述した液晶表示装置を基にして、当業者が適宜設計変更して実施し得る全ての液晶表示装置も、本発明の要旨を包含する限り、本発明の範囲に属する。
【００７５】
その他、本発明の思想の範疇において、当業者であれば、各種の変更例及び修正例に想到し得るものであり、それら変更例及び修正例についても本発明の範囲に属するものと了解される。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１０…第１基板部、  １０ａ…第１主面、  １１…第１基板、  １２…表示電極、  １３ａ…第１配線、  １３ａｉ…内縁、  １３ｂ…第２配線、  １３ｂｏ…外縁、  １３ｃ…接続部、  １４…下側絶縁層、  １４ｉ…配線間部分、  １５…有機絶縁層、  １５ｏ…外縁、  １６…スイッチング素子、  ２０…第２基板部、  ２０ａ…第２主面、  ２１…第２基板、  ２２…対向電極、  ２３…遮光層、  １４…着色層、  ２５…オーバーコート層、  ３０…液晶層、  ３０ｄ…表示領域、  ３０ｐ…周辺領域、  ４０…シール部、  ４０ｉ…内縁、  ４０ｏ…外縁、  １１０、１１１…液晶表示装置、  Ｄ３…距離、  Ｌ３…幅、  Ｌｎ１…走査線、  Ｌｎ２…信号線、  Ｐａ…第１部分、  Ｐｂ…第２部分、  ｗ１〜ｗ３…幅
【図１】
2013029566.tif 000003
【図２】
2013029566.tif 000004
【図３】
2013029566.tif 000005